(57)【要約】【課題】調整可能なベッド枠構造を提供する。【解決手段】枠体１、第一サポートユニット２、第一クッション体３、第二サポートユニット４、及び第二クッション体５を有し、枠体１内部には水平方向に第一伸縮器を突出設置し、第一サポートユニット２は該枠体１の該第一伸縮器上に固定し、また該第一サポートユニット２内部において第二伸縮器２１を垂直に突出設置し、第一クッション体３は該第二伸縮器２１上に固定し、第二サポートユニット４は該枠体１の両側に固定し、該第二サポートユニット４内部には第三伸縮器４１を垂直に突出設置し、第二クッション体５は該第三伸縮器４１上に固定する。【選択図】図７
0003131126.tif 000002
【実用新案登録請求の範囲】
【請求項１】
枠体、第一サポートユニット、第一クッション体、第二サポートユニット、及び第二クッション体を備え、
該枠体内部には水平方向に第一伸縮器が突出して設置され、
該第一サポートユニットは該枠体の第一伸縮器上に固定され、該第一サポートユニット内部において第二伸縮器が垂直に突出して設置され、
該第一クッション体が該第二伸縮器上に固定され、
該第二サポートユニットは該枠体の両側に固定され、該第二サポートユニット内部には第三伸縮器を垂直が突出して設置され、
該第二クッション体は該第三伸縮器上に固定されていることを特徴とする調整可能なベッド枠構造。
【請求項２】
前記枠体内部にはサポート台が設置され、該サポート台は水平方向に滑槽が設置され、該第一伸縮器がその中に固定されていることを特徴とする請求項１記載の調整可能なベッド枠構造。
【請求項３】
前記第一伸縮器には伸縮棒が設置され、該伸縮棒の反対端には回転可能な回転動台が可動に接続され、該回転動台は該第一サポートユニットがその上に固定されていることを特徴とする請求項１記載の調整可能なベッド枠構造。
【請求項４】
前記第一サポートユニット内部にはサポート台が設置され、該サポート台は垂直方向に滑槽が設置され、該第二伸縮器がその中に固定されていることを特徴とする請求項１記載の調整可能なベッド枠構造。
【請求項５】
前記第二伸縮器には伸縮棒が設置され、該伸縮棒の反対端には回転可能な回転動台が可動に接続され、該回転動台は該第一クッション体がその上に固定されていることを特徴とする請求項１記載の調整可能なベッド枠構造。
【請求項６】
前記第二サポートユニット内部にはサポート台が設置され、該サポート台は垂直方向に滑槽が設置され、該第三伸縮器がその中に固定されていることを特徴とする請求項１記載の調整可能なベッド枠構造。
【請求項７】
前記第三伸縮器には伸縮棒が設置され、該伸縮棒の反対端には回転可能な回転動台が可動に接続され、該回転動台は該第二クッション体がその上に固定されていることを特徴とする請求項１記載の調整可能なベッド枠構造。
【請求項８】
前記第一伸縮器は該枠体のベッド末端位置に設置することを特徴とする請求項１記載の調整可能なベッド枠構造。
【請求項９】
前記第一クッション体上にはインソールが可動に接続されていることを特徴とする請求項１記載の調整可能なベッド枠構造。
【請求項１０】
前記第二クッション体上にはインソールが可動に接続されていることを特徴とする請求項１記載の調整可能なベッド枠構造。
【考案の詳細な説明】
【技術分野】
【０００１】
本考案は一種の調整可能なベッド枠構造に関する。特に一種の枠体のベッド縁に水平方向に引き動かし可能な第一サポートユニット、垂直方向に上昇或いは回転可能な第一クッション体、第二クッション体、及び左右回転動インソールを設置する多機能を備える調整可能なベッド枠構造に係る。
【背景技術】
【０００２】
現在一般に見られるベッド枠の外周囲のサイズは固定で、任意にサイズを変えることはできないため、使用者の身長に応じて変化させることができない。しかも該ベッド枠は子供がベッドの下に落ちることがないよう、ベッド縁にガード板を設置するが、該ガード板は任意に取外すことができない。さらに高さを上げるためには、別にクッションを加える必要がある。
よって公知のベッド枠は使用において不便である。
【考案の開示】
【考案が解決しようとする課題】
【０００３】
本考案は上記構造の問題点を解決した調整可能なベッド枠構造を提供するものである。
【課題を解決するための手段】
【０００４】
上記課題を解決するため、本考案は下記の調整可能なベッド枠構造を提供する。
枠体、第一サポートユニット、第一クッション体、第二サポートユニット、及び第二クッション体を有し、枠体内部には水平方向に第一伸縮器を突出設置し、第一サポートユニットは該枠体の該第一伸縮器上に固定し、また該第一サポートユニット内部において第二伸縮器を垂直に突出設置し、第一クッション体は該第二伸縮器上に固定し、第二サポートユニットは該枠体の両側に固定し、該第二サポートユニット内部には第三伸縮器を垂直に突出設置し、第二クッション体は該第三伸縮器上に固定する。
【０００５】
該枠体内部にはサポート台を設置し、該サポート台は水平方向に滑槽を設置し、該第一伸縮器をその中に固定してもよい。
該第一伸縮器には伸縮棒を設置し、また該伸縮棒の反対端には回転可能な回転動台を可動接続し、該回転動台は該第一サポートユニットをその上に固定してもよい。
該第一サポートユニット内部にはサポート台を設置し、該サポート台は垂直方向に滑槽を設置し、該第二伸縮器をその中に固定してもよい。
【０００６】
該第二伸縮器には伸縮棒を設置し、また該伸縮棒の反対端には回転可能な回転動台を可動接続し、該回転動台は該第一クッション体をその上に固定してもよい。
該第二サポートユニット内部にはサポート台を設置し、該サポート台は垂直方向に滑槽を設置し、該第三伸縮器をその中に固定してもよい。
該第三伸縮器には伸縮棒を設置し、また該伸縮棒の反対端には回転可能な回転動台を可動接続し、該回転動台は該第二クッション体をその上に固定してもよい。
該第一伸縮器は該枠体のベッド末端位置に設置してもよい。
該第一クッション体上にはインソールを可動接続してもよい。
該第二クッション体上にはインソールを可動接続してもよい。
【０００７】
（考案の効果）
上記のように、本考案は第一サポートユニットを水平方向に引き動かすことにより枠体のベッド末端長度を伸ばすことができるため、身長が比較的高い使用者も使用することができる。さらに本考案は垂直方向に上昇可能な第一クッション体によりベッド末端の高度を高めることができるため、使用者の脚部を高くすることができる。また回転可能な第一クッション体及び第二クッション体により、異なる方向に回転させることができるため、異なる方向に高くし使用することができる。さらに枠体両側の第二クッション体は持ち上げていない時には、枠体両側のサイズ面積を拡大することができ、横たわる時の快適性を向上させることができる。子供が横たわる時には、第二クッション体を上昇させ、ガード作用を持たせ、これにより子供がベッド下に落ちないようにし、使用上の安全性を確保することができると共にふとんがベッド下に落ちないようにすることもできる。また本考案はベッドクッションが任意に滑りずれないようにすることができ、本考案の第一伸縮器、第二伸縮器、及び第三伸縮器はそれぞれサポート台の滑槽内に設置され、滑動時にサポート力を備え、組み立て時には定位等の機能を備える。
【考案を実施するための最良の形態】
【０００８】
先ず図１、図２、及び図３に示すように、本考案の一実施例による調整可能なベッド枠構造は、枠体１、第一サポートユニット２、第一クッション体３、第二サポートユニット４、及び第二クッション体５を有する。
該枠体１はベッド末端位置の内部に若干の第一伸縮器１１を水平に突出設置し、該第一伸縮器１１は伸縮棒１２（公知構造であるため詳述しない）を設置し、任意に水平方向の伸縮移動を可能とする。また該伸縮棒１２の反対端には１８０°回転可能な回転動台１３を可動接続し、また該ベッド末端内部にはサポート台１４を設置する。該サポート台１４は水平方向に滑槽１５を設置し、該第一伸縮器１１をその中に設置し、これによりサポート及び組み立て時の定位の機能を備える。
【０００９】
該第一サポートユニット２は該枠体１の第一伸縮器１１の回転動台１３上に固定し、これにより水平方向の移動を行う。また該第一サポートユニット２内部には若干の第二伸縮器２１を垂直に突出設置し、該第二伸縮器２１には伸縮棒２２（公知構造であるため詳述しない）を設置し、垂直方向の伸縮移動を任意に行うことができる。また該伸縮棒２２の反対端には１８０°回転可能な回転動台２３を可動接続し、また該第一サポートユニット２内部にはサポート台２４を設置する。該サポート台２４は垂直方向に滑槽２５を設置し、これにより該第二伸縮器２１はその中に設置され、こうしてサポート及び組み立て時の定位の機能を備える。
【００１０】
該第一クッション体３は第二伸縮器２１の回転動台２３上に固定し、これにより垂直方向の移動を行い、また該第一クッション体３上には任意に左右回転動を行うインソール３１を可動接続する。
該第二サポートユニット４はそれぞれ各自独立して若干個を設置し、該枠体１の両側に固定する。その固定方式は螺接、嵌接等異なる組合せ方式を採用することができる。該第二サポートユニット４内部には垂直に若干の第三伸縮器４１を突出設置し、該第三伸縮器４１は伸縮棒４２（公知構造であるため詳述しない）を設置し、垂直方向の伸縮移動を任意に行うことができる。また該伸縮棒４２の反対端には１８０°回転可能な回転動台４３を可動接続し、該第二サポートユニット４内部にはサポート台４４を設置する。該サポート台４４は垂直方向に滑槽４５を設置し、該第三伸縮器４１はその中に設置され、サポート及び組み立て時の定位機能を備える。
【００１１】
該第二クッション体５は該第三伸縮器４１の回転動台４３上に固定し、これにより垂直方向の移動を行い、また該第二クッション体５上には任意に左右回転動を行うインソール５１を可動接続する。
使用時には図７に示すように、予め該枠体１上にベッドクッションＡを敷き、それぞれ該第一クッション体３及び該第二クッション体５を平らにし、快適に横たわれるようにする。該枠体１のベッド末端長度を伸ばし、身長が比較的高い使用者が横たわれるようにする時には、該枠体１のベッド末端位置の第一サポートユニット２を水平に外へと引き動かす（図２及び図４参照）。これにより、該第一サポートユニット２は該回転動台１３により該第一伸縮器１１の伸縮棒１２を同時に外へと引き動かし、こうして該第一クッション体３は該枠体１のベッド末端位置との間に適当な距離を隔て、これにより身長が比較的高い使用も横たわり使用することができる。
【００１２】
また使用者の脚部を高くする必要がある時には、再び該第一サポートユニット２上の第一クッション体３を垂直方向に持ち上げ、該第二伸縮器２１の伸縮棒２２の回転動台２３が連接する第一クッション体３は垂直方向に上方へと引き動かされ、これにより該第一クッション体３は該枠体１との間に適当な高度を隔て、さらに該第一クッション体３上のインソール３１を任意に左右回転動させることができ、使用者の脚部を高くすることができる。しかも、該第二伸縮器２１の伸縮棒２２上の回転動台２３を回転させることにより、該第一クッション体３は異なる方向に回転し、異なる方向に高くし使用することができる。
該枠体１両側の第二クッション体５を上昇させていない時には、該枠体１両側のサイズ面積は拡大され、横たわる時により一層快適となる。
【００１３】
また子供が横たわる時などに、図５に示すように、該枠体１の両側の高度を上げる必要がある場合には、該枠体１の両側の第二サポートユニット４上の第二クッション体５を垂直方向に持ち上げ、該枠体１の両側の第二サポートユニット４内の第三伸縮器４１の伸縮棒４２の回転動台４３が固定する第二クッション体５を上方へと引き動かし持ち上げる。これにより該第二クッション体５は該枠体１との間に適当な高度を隔て、ガードの作用を達成する。こうして子供が寝返りをうってもベッドから落ちる恐れがなくなり、使用上の安全性を確保することができる。さらに該第一クッション体３上のインソール３１を任意に左右回転動し、背もたれとしての使用も可能で、同時に該第三伸縮器４１の伸縮棒４２上の回転動台４３を回転させることにより（図６参照）、該第二クッション体５は異なる方向に回転し、異なる方向に高くして使用することができる。
【図面の簡単な説明】
【００１４】
【図１】本考案の一実施例による調整可能なベッド枠構造の斜視図である。
【図２】本考案の一実施例による調整可能なベッド枠構造の第一サポートユニット及び第一クッション体を組み合せた状態を示す模式図である。
【図３】本考案の一実施例による調整可能なベッド枠構造の第二サポートユニット及び第二クッション体を組み合せた状態を示す模式図である。
【図４】本考案の一実施例による調整可能なベッド枠構造の使用状態を説明する模式図である。
【図５】本考案の一実施例による調整可能なベッド枠構造の使用状態を説明する模式図である。
【図６】本考案の一実施例による調整可能なベッド枠構造の使用状態を説明する模式図である。
【図７】本考案の一実施例による調整可能なベッド枠構造の使用状態を示す模式図である。
【符号の説明】
【００１５】
１：枠体、１１：第一伸縮器、１２：伸縮棒、１３：回転動台、１４：サポート台、１５：滑槽、２：第一サポートユニット、２１：第二伸縮器、２２：伸縮棒、２３：回転動台、２４：サポート台、２５：滑槽、３：第一クッション体、３１：インソール、４：第二サポートユニット、４１：第三伸縮器、４２：伸縮棒、４３：回転動台、４４：サポート台、４５：滑槽、５：第二クッション体、５１：インソール、A：ベッドクッション
【図１】
0003131126.tif 000003
【図２】
0003131126.tif 000004
【図３】
0003131126.tif 000005
【図４】
0003131126.tif 000006
【図５】
0003131126.tif 000007
【図６】
0003131126.tif 000008
【図７】
0003131126.tif 000009